(57)【要約】      （修正有）【課題】容器本体や蓋に対する中皿の向きを一定方向に保持できる包装用容器を提供する。【解決手段】合成樹脂製の容器本体１と中皿２から構成される包装用容器であって、容器本体１に形成される係止部１５と、中皿２に形成される被係止部２６とを備え、係止部１５と被係止部２６の係合で、中皿２の位置を固定できる。係止部１５は突起、被係止部２６は切欠きであり、さらに蓋には、丘状部と平面部が形成されている。【選択図】図４
0003212312.tif 000002
【実用新案登録請求の範囲】
【請求項１】
合成樹脂製の容器本体と中皿から構成される包装用容器であって、
前記容器本体に形成される係止部と、前記中皿に形成される被係止部とを備え、前記係止部と前記被係止部の係合で、前記中皿の位置を固定する包装用容器。
【請求項２】
前記係止部は突起であり、前記被係止部は切欠きである請求項１に記載の包装用容器。
【請求項３】
前記容器本体は、本体底壁と該本体底壁の周囲から立設した本体側壁とによって上方に円形の開口が形成され、前記本体側壁の上端寄りの位置に外周方向へ広がる本体段部が形成され、前記本体段部には上方へ膨出した前記係止部が形成され、
前記中皿は、中皿底壁と該中皿底壁の周囲から立設した中皿側壁とによって上方に開口が形成され、前記中皿の外周部には中皿フランジが形成され、該中皿フランジの外周縁には前記被係止部が形成された請求項１または２に記載の包装用容器。
【請求項４】
さらに、蓋を有し、前記蓋は、天面壁と該天面壁の周囲から降設した蓋側壁と、該蓋側壁の下端から外周方向へ延設した下面壁と、該下面壁の外周縁から降設した蓋外側壁と、該蓋外側壁の下端から外周方向へ延設された蓋フランジが形成され、該蓋フランジには蓋開封用摘みが設けられ、
前記容器本体は、前記本体側壁の上端から外周方向へ延設した本体上面壁と、該本体上面壁の外周縁から下方へ降設した本体外側壁を介して該本体外側壁の下端から外周方向へ本体フランジが延設形成され、該本体フランジには本体開封用摘みが設けてある請求項１〜３のいずれか一項に記載の包装用容器。
【請求項５】
前記蓋には、前記天面壁の外周部の対向する位置に、前記天面壁よりも高い一対の丘状部を形成することによって、該丘状部間に蓋の一方の外周縁から他方の外周縁まで連続する平面部が形成されている請求項４に記載の包装用容器。
【考案の詳細な説明】
【技術分野】
【０００１】
本考案は、包装容器に関する。より詳しくは、合成樹脂製の容器本体と中皿、さらに蓋とから構成される包装用容器である。
【背景技術】
【０００２】
スーパーマーケットやコンビニエンスストア等で、食品を各種包装用容器に収容して販売されている。食品包装用の容器としては、容器本体と中皿と蓋とからなる構成が挙げられる。それらは、容器本体に内容物を収容した後、容器本体の上に中皿を載せ、中皿の上にも内容物を収容して使用される。
【０００３】
特許文献１には、仕切り付き中皿を有する円形容器が開示されている。ただ、特許文献１の容器には、容器本体の向きについて基準となるものはなく、容器本体に対して中皿の向きを固定する手段も開示されていない。
【先行技術文献】
【特許文献】
【０００４】
【特許文献１】特開２０１５−１４５２８５号公報
【考案の概要】
【考案が解決しようとする課題】
【０００５】
従来の包装用容器は、上記のとおり、容器本体、中皿及び蓋に方向性を持たせていないので、例えば蓋に帯封をした場合には、その部分が隠れてしまい、中皿に載せた特定の箇所を見せたい場合に適さない。
本考案は、中皿の向きを一定方向に固定できる包装用容器を提供することを課題としている。さらには、容器本体や蓋に対する中皿の向きを複数の方向に変えて固定することができる包装用容器を提供することを課題とする。
【課題を解決するための手段】
【０００６】
上記課題を解決するために、本考案は以下のような合成樹脂製の容器本体と中皿、さらに蓋とから構成される包装用容器を開発した。
（１）合成樹脂製の容器本体と中皿から構成される包装用容器であって、
前記容器本体に形成される係止部と、前記中皿に形成される被係止部とを備え、前記係止部と前記被係止部の係合で、前記中皿の位置を固定する包装用容器。
（２）前記係止部は突起であり、前記被係止部は切欠きである（１）に記載の包装用容器。
（３）前記容器本体は、本体底壁と該本体底壁の周囲から立設した本体側壁とによって上方に円形の開口が形成され、前記本体側壁の上端寄りの位置に外周方向へ広がる本体段部が形成され、前記本体段部には上方へ膨出した前記係止部が形成され、
前記中皿は、中皿底壁と該中皿底壁の周囲から立設した中皿側壁とによって上方に開口が形成され、前記中皿の外周部には中皿フランジが形成され、該中皿フランジの外周縁には前記被係止部が形成された（１）または（２）に記載の包装用容器。
（４）さらに、蓋を有し、前記蓋は、天面壁と該天面壁の周囲から降設した蓋側壁と、該蓋側壁の下端から外周方向へ延設した下面壁と、該下面壁の外周縁から降設した蓋外側壁と、該蓋外側壁の下端から外周方向へ延設された蓋フランジが形成され、該蓋フランジには蓋開封用摘みが設けられ、
前記容器本体は、前記本体側壁の上端から外周方向へ延設した本体上面壁と、該本体上面壁の外周縁から下方へ降設した本体外側壁を介して該本体外側壁の下端から外周方向へ本体フランジが延設形成され、該本体フランジには本体開封用摘みが設けてある（１）〜（３）のいずれか一項に記載の包装用容器。
（５）前記蓋には、前記天面壁の外周部の対向する位置に、前記天面壁よりも高い一対の丘状部を形成することによって、該丘状部間に蓋の一方の外周縁から他方の外周縁まで連続する平面部が形成されている（４）に記載の包装用容器。
【考案の効果】
【０００７】
本考案の包装用容器は、合成樹脂製の容器本体と中皿から構成される包装用容器であって、前記容器本体に形成される係止部と、前記中皿に形成される被係止部とを備え、前記係止部と前記被係止部の係合で、前記中皿の位置を固定する包装用容器であり、さらに蓋から構成される包装用容器である。前記係止部と被係止部の、位置、大きさ、数等を適宜決めることにより、前記容器本体に対する前記中皿の向きを複数の方向に簡単に固定することができる。
【０００８】
上記の構成にすることにより、容器全体に帯封をしたり、蓋の天面にラベルやシールを貼った際でも、特定の箇所をラベル等で、隠れなくすることができる。また、複数の方向に固定できるので、同じ容器であっても、種々の見せ方をすることができる。
【図面の簡単な説明】
【０００９】
【図１】本考案を適用した実施例１の容器本体の斜視図。
【図２】本考案を適用した実施例１の中皿の斜視図。
【図３】本考案を適用した実施例１の蓋の斜視図。
【図４】本考案を適用した実施例１の容器本体に中皿を載せた状態を示す平面図。
【図５】本考案を適用した実施例１の容器本体と蓋を嵌合し、容器全体に帯封をした状態を示した斜視図。
【図６】本考案を適用した実施例１の容器本体と蓋を嵌合し、容器全体に帯封をした状態を示した平面図。
【考案を実施するための形態】
【００１０】
以下、本考案における包装容器の実施形態について図を参酌して説明する。
【００１１】
本考案の包装用容器は、合成樹脂製の容器本体と中皿から構成される包装用容器であって、前記容器本体に形成される係止部と、前記中皿に形成される被係止部とを備え、前記係止部と前記被係止部の係合で、前記中皿の位置を固定する包装用容器、および蓋から構成される包装用容器である。
【００１２】
前記容器本体は、前記本体側壁の上端から外周方向へ本体フランジを直接延設してもよいし、前記本体側壁の上端から外周方向へ延設した本体上面壁と、該本体上面壁の外周縁から下方へ降設した本体外側壁を介して該本体外側壁の下端から外周方向へ本体フランジを延設形成してもよい。そして、前記容器本体の本体フランジには開封用摘み等の容器開封手段を設けてある。
【００１３】
前記容器本体は、前記本体上側壁を利用して内嵌合方式の容器とすることができる。また、前記本体外側壁部の外周面に外周方向へ膨出させた本体係止突条を設けて外嵌合方式の容器とすることもできる。該本体係止突条は、容器本体と蓋の嵌合状態が保持できればよく、本体外側壁部の全周に設けても間欠状態に設けてもよく、間欠状態に設ける場合はその数や個々の長さ等は限定されるものではない。
【００１４】
前記中皿は、中皿底壁と該中皿底壁の周囲から立設した中皿側壁とによって上方に開口が形成され、前記中皿の外周部には中皿フランジが形成され、該中皿フランジの外周縁には前記本体段部の横側壁上に形成された係止突起と係合する切欠きが設けられている。該切欠きは容器本体の係止突起と係合できればよく、その大きさ、形状、数は限定されるものではない。
前記容器本体の本体段部の横側壁上に形成された係止突起と前記中皿フランジに形成された切欠きの位置、大きさ、数等を適宜決めることにより、容器本体に対する中皿の向きを複数の方向に位置決めすることができる。
【００１５】
前記中皿フランジは、前記中皿側壁の上端から外周方向へ直接延設形成してもよいし、前記中皿側壁の上端から外周方向へ延設した中皿上面壁と、該中皿上面壁の外周縁から下方へ降設した中皿外側壁を介して中皿外側壁の下端から外周方向へ延設してもよい。
また、前記中皿フランジは、本体段部の横側壁上の半分以上の範囲に載置できればよく、その外周縁の形状が円形である必要はない。前記中皿フランジの外周縁が容器本体の横側壁上に半分以上載っていれば、中皿は容器本体内に落下することなく安定して載置される。
【００１６】
前記中皿底壁と中皿側壁とによって形成された空間内には仕切りを設けることができ、該仕切りによって仕切られる区画の数、大きさ、形状は任意に設定できる。
【００１７】
前記蓋は、天面壁と該天面壁の周囲から降設した蓋側壁と、該蓋側壁の下端から外周方向へ延設した下面壁と、該下面壁の外周縁からさらに降設した蓋外側壁とによって下方に円形の開口が形成されている。
【００１８】
前記蓋は、前記蓋外側壁の下端から外周方向へ蓋フランジが延設され、該蓋フランジにはベロ状の蓋開封用摘み等の容器開封手段を設けてある。
【００１９】
前記蓋は、前記蓋外側壁に内側へ膨出させた蓋係止突条を設けることにより外嵌合用の蓋とすることができる。該蓋係止突条は、容器本体と蓋の嵌合状態が保持できれば、蓋外側壁部の全周に設けても間欠状態に設けてもよく、間欠状態に設ける場合はその数や個々の長さは限定されるものではない。
また、前記蓋は、前記下面壁の外周縁から上方へ立設する蓋嵌合側壁を形成すれば、前記容器本体の本体上側壁と嵌合させて内嵌合方式の容器とすることができる。
【００２０】
前記蓋には、天面壁の外周部の対向する位置に、該天面壁よりも高い一対の丘状部を形成することによって、該丘状部間に蓋の一方の外周縁から他方の外周縁まで連続する平面部が形成されている。該平面部に帯を掛けて容器全体を巻回すれば、該帯は丘状部に規制されてズレが阻止されるため、帯封が容器から外れ難くなる。
【００２１】
前記帯封には商品名や商品の使用方法等が記載され全体が着色されている場合もあるため、帯封を掛けた位置においては内容物を確認することが難しい。そのため、この種の商品を購入する消費者は帯封外の蓋の天面を通して内容物を確認することになる。
また、前記本体フランジと前記蓋フランジの其々に容器開封手段であるベロ状の開封用摘みを設ける場合、開封機能を発揮させるためには其々の開封用摘みの位置を合わせる必要がある。そこで、本考案の包装用容器を使用して食品を包装すれば、容器本体の開封用摘みの位置と蓋の開封用摘みの位置を合わせた際に、中皿の向きを複数の方向に選択できるので、中皿に収容された食品のうち消費者に最もアピールしたいものが帯封外の天面を通して視認できるように中皿の向きを選択する。
【００２２】
本考案の円形容器を使用すれば、容器本体や蓋に対する中皿の向きを幾つかの方向に簡単に位置決めすることができる。つまり、前記本体段部の横側壁上に係止突起を形成し、前記中皿フランジの外周縁に切欠きを形成し、係止突起と切欠きの、位置、大きさ、数等を適宜決めることにより、容器本体に対する中皿の向きを複数の方向に設定することができる。
特に、仕切りが設けられている中皿においては、収容する食品の種類によって中皿上の食品の位置が決まってしまうため、容器本体に対する中皿の向きを複数の方向に位置決めできることによって、帯封外の蓋の天面を通して見せる食品を選択できる。また、同じ容器を使用して収容する食品の種類を変える場合にも効果的な食品の見せ方ができるため作業効率も良くなる。
【００２３】
前記容器本体、中皿及び蓋の素材は合成樹脂であればよく、該合成樹脂の種類は特に限定されるものではない。食品包装用容器においては、ポリプロピレン系、ポリスチレン系、ポリエチレン系のものが一般的によく使用され、これらの素材を混合した素材やこれらの素材を積層した素材を使用してもよい。また、合成樹脂に合成樹脂以外の素材を混ぜたものを使用してもよい。
前記容器本体、中皿及び蓋は、相互に同じ素材を使用しても異なる素材を使用してもよく、発泡した素材を使用してもよい。
【００２４】
前記容器本体、中皿及び蓋の成形方法は限定されるものではない。食品包装用容器においては、前記素材のシートを真空成形・圧空成形・熱盤成形等の加熱成形する方法がよく採用されるが、射出成形やブロー成形による成形方法であってもよい。
【実施例１】
【００２５】
図１〜図６に表した実施例１の包装用容器は、厚さ０．３ｍｍの二軸延伸したポリスチレンのシートを熱盤成形した容器本体１及び蓋３と、厚さ０．２５ｍｍの二軸延伸したポリスチレンのシートを熱盤成形した中皿２とから構成される包装用容器である。  
実施例１の包装用容器の容器本体１、中皿２及び蓋３の素材は合成樹脂であればよく、二軸延伸したポリスチレンのシートに限定されるものではない。食品包装用の容器の場合は、ポリプロピレン系、ポリスチレン系、ポリエチレン系の素材が一般的に良く使用され、これらの素材を混合した素材やこれらの素材を積層した素材を使用してもよく、これらの素材を発泡したものを使用してもよい。
【００２６】
図１は本考案を適用した実施例１の容器本体の斜視図である。図１に表したように、前記容器本体１は、円形の本体底壁１１と該本体底壁１１の周囲から立設した本体側壁１２とによって上方に直径２０ｃｍの円形の開口を形成し、前記本体側壁１２の上端寄りの位置に外周方向へ広がる環状の横側壁１３からなる本体段部１４が本体側壁１２の全周に亘って形成されている。該本体段部１４によって、前記本体側壁１２は本体段部１４より上方の本体上側壁１２Ａと本体段部１４より下方の本体下側壁１２Ｂとに分断されている。前記横側壁１３には上方へ膨出した係止突起１５が形成され、該係止突起１５には後述する中皿２に形成した切欠き２６が係合されて、該係止突起１５によって中皿の回動は規制されて中皿の位置が固定される。
実施例１の容器本体１に設けた係止突起１５は、前記本体上側壁１２Ａから容器の内側に５ｍｍの幅で約３ｃｍの長さのものを、前記横側壁１３上に５ｍｍの高さで等角度に三つ形成したが、該係止突起１５は、その大きさ、形状、位置、数等が限定されるものではない。
【００２７】
前記容器本体１の本体側壁１２の上端には、外周方向へ延設した本体上面壁１６と、該本体上面壁１６の外周縁から下方へ降設した本体外側壁１７が形成され、さらに、該本体外側壁１７の下端から外周方向へ延設した本体フランジ１８が形成されている。前記本体外側壁１７の下方寄りの位置には全周に亘って外周方向に膨出した上下方向の幅が２ｍｍで突出高さが０．５ｍｍの本体係止突条１９が形成されている。該本体係止突条１９は、後述する蓋係止突条３５と係止して容器本体１と蓋３との嵌合状態を保持できればよく、全周に亘って連続していても間欠したものであってもよく、間欠させた場合はその長さや数等が限定されるものではない。
前記本体フランジ１８は、前記本体外側壁１７の下端から外周方向へ延設されているが、前記本体係止突条１９に代わる係止手段を設ければ、前記本体側壁１２の上端から外周方向に直接形成してもよい。また、本体フランジ１８の外周縁の１箇所に本体開封用摘み１８Ａを本体フランジ１８のさらに外周方向へ延設した。該本体開封用摘み１８Ａは、本体フランジ１８の外周縁からの幅（高さ）が１ｃｍで外周縁上の長さ（下底）が４ｃｍの台形状とした。
【００２８】
図２は本考案を適用した実施例１の中皿の斜視図である。図２に表したように、前記中皿２は、中皿底壁２１と該中皿底壁２１の周囲から立設した中皿側壁２２とによって上方に開口が形成され、前記中皿側壁２２の上端には、外周方向へ延設した中皿上面壁２３と、該中皿上面壁２３の外周縁から下方へ降設した中皿外側壁２４が形成され、さらに、該中皿外側壁２４の下端から外周方向へ延設した中皿フランジ２５が形成されている。前記中皿フランジ２５の外周縁には、本体段部１４の横側壁１３上に形成された係止突起１５と係合可能な切欠き２６が等角度に三つ設けられている。
前記中皿フランジ２５は前記中皿側壁２２の上端から直接外周方向に延設してもよく、前記切欠き２６は、容器本体の係止突起１５と係合できれば、その大きさ、形状、数等は限定されるものではない。
実施例１の中皿２においては、前記中皿底壁２１と該中皿底壁２１の周囲から立設した中皿側壁２２とによって形成された空間部を仕切壁２７によって三つに区画した。実施例１の中皿２においては仕切壁２７によって三つの区画を形成したが、区画の数や形状は中皿内に収容する内容部によって適宜決めることができ、仕切壁２７は設けなくてもよい。
【００２９】
図３は本考案を適用した実施例１の蓋の斜視図である。図３に表したように、前記蓋３は、天面壁３１と該天面壁３１の周囲から降設した蓋側壁３２とによって下方に円形の開口が形成され、該蓋側壁３２の下端には外周方向へ延設した蓋下面壁３３が形成され、該蓋下面壁３３の外周縁から下方へ降設した蓋外側壁３４が形成され、さらに、該蓋外側壁３４の下端から外周方向へ延設した蓋フランジ３５が形成されている。該蓋外側壁３４の下方寄りの位置には内周方向に膨出した蓋係止突条３６が全周に亘って八つ等間隔に間欠形成されている。該蓋係止突条３６は、上下方向の幅を２ｍｍ、一つの周方向の長さを３ｃｍ、膨出高さを１ｍｍとした。
前記蓋係止突条３６は、前記本体係止突条１９と係止して容器本体１と蓋３との嵌合状態を保持できればよく、前記蓋外側壁３４の全周に設けても間欠状態に設けてもよく、間欠状態に設ける場合はその数や個々の長さや幅は限定されるものではない。
また、前記蓋フランジ３５の外周縁の１箇所に蓋開封用摘み３５Ａを蓋フランジ３５のさらに外周方向へ延設した。該蓋開封用摘み３５Ａは、蓋フランジ３５の外周縁からの幅（高さ）が１ｃｍで外周縁上における長さ（下底）が４ｃｍの台形状とした。
【００３０】
図４は本考案を適用した実施例１の容器本体１に中皿２を載せた状態を示す平面図である。（Ａ）と（Ｂ）は本体１に対する中皿２の向きを１２０度ずらした状態を表している。図４に表したように、前記中皿２は、容器本体１の本体側壁１２に形成されている本体段部１４の横側壁１３上に中皿フランジ２５を合わせて容器本体１に載置する。その際、容器本体１の横側壁１３上に形成された係止突起１５の位置に中皿２の中皿フランジ２５に形成されている切欠き２６の位置を合わせる。前記係止突起１５に切欠き２６を合わせることにより中皿２の回動は規制され、容器本体１に対する中皿２の向きが固定される。
前記容器本体１に中皿２を載せる際、容器本体１の横側壁１３上に等角度で三つ形成した係止突起１５と、中皿２の中皿フランジ２５外周縁に等角度に三つ形成した切欠き２６とを係合させることによって、前記容器本体１に対する中皿２の向きは３方向選択できることになる。
【００３１】
図５と図６は、本考案を適用した実施例１の容器本体に中皿を載置した後蓋を嵌合し、容器全体に帯封をした状態を示した斜視図と平面図である。図５及び図６に表したように、前記容器本体１と蓋３はそれぞれに設けた本体開封用摘み１８Ａの位置と蓋開封用摘み３５Ａの位置を合わせて嵌合する必要がある。前記本体開封用摘み１８Ａの位置と蓋開封用摘み３５Ａの位置を合わせることにより、本体開封用摘み１８Ａと蓋開封用摘み３５Ａとを摘んで引き離すように力を加えれば蓋の嵌合状態を解除して蓋を外すことができる。
前記本体開封用摘み１８Ａと蓋開封用摘み３５Ａの位置を合わせることにより本体１と蓋３相互の向きが一定方向に決まり、前記係止突起１５と切欠き２６の位置を合わせることにより本体１と中皿２相互の向きが一定方向に決まるため、相対的に中皿２と蓋３の向きも一定方向に決まる。
【００３２】
また、前記容器本体１及び中皿２に食品等の内容物を収容し蓋３を嵌合した後、容器全体に帯封４をして上方から容器を見ると、天面壁３１を通して見える内容物は帯封４の外側に位置する内容物だけである。このように、蓋の天面壁に、帯封がされていたりラベルやシールが貼られていると、中皿上の内容物は限られた部分のものしか見えない。
そこで、実施例１の中皿２において三つの区画にそれぞれ異なった内容物を載せ、販売する商品毎に消費者へ最もアピールしたい中皿上の内容物が見えるように、前記容器本体１の係止突起１５と中皿２の切欠き２６の向きを３方向から選択して中皿２の向きを決める。
【符号の説明】
【００３３】
１      容器本体
２      中皿
３      蓋
４      帯封
１１    本体底壁
１２    本体側壁
１３    横側壁
１４    本体段部  
１５    係止部（係止突起）
１６    本体上面壁
１７    本体外側壁
１８    本体フランジ
１８Ａ  本体開封用摘み
１９    本体係止突条
２１    中皿底壁
２２    中皿側壁
２３    中皿上面壁
２４    中皿外側壁  
２５    中皿フランジ
２６    被係止部（切欠き）
２７    仕切壁
３１    天面壁
３２    蓋側壁
３３    蓋下面壁
３４    蓋外側壁
３５    蓋フランジ
３５Ａ  蓋開封用摘み      
３６    蓋係止突条
【図１】
0003212312.tif 000003
【図２】
0003212312.tif 000004
【図３】
0003212312.tif 000005
【図４】
0003212312.tif 000006
【図５】
0003212312.tif 000007
【図６】
0003212312.tif 000008
【手続補正書】
【提出日】平成29年7月5日(2017.7.5)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製の容器本体と中皿から構成される包装用容器であって、
前記容器本体に形成される係止部と、前記中皿に形成される被係止部とを備え、前記係止部と前記被係止部の係合で、前記中皿の位置を固定する包装用容器。
【請求項２】
前記係止部は突起であり、前記被係止部は切欠きである請求項１に記載の包装用容器。
【請求項３】
前記容器本体は、本体底壁と該本体底壁の周囲から立設した本体側壁とによって上方に円形の開口が形成され、前記本体側壁の上端寄りの位置に外周方向へ広がる本体段部が形成され、前記本体段部には上方へ膨出した前記係止部が形成され、
前記中皿は、中皿底壁と該中皿底壁の周囲から立設した中皿側壁とによって上方に開口が形成され、前記中皿の外周部には中皿フランジが形成され、該中皿フランジの外周縁には前記被係止部が形成された請求項１または２に記載の包装用容器。
【請求項４】
さらに、蓋を有し、前記蓋は、天面壁と該天面壁の周囲から降設した蓋側壁と、該蓋側壁の下端から外周方向へ延設した下面壁と、該下面壁の外周縁から降設した蓋外側壁と、該蓋外側壁の下端から外周方向へ延設された蓋フランジが形成され、該蓋フランジには蓋開封用摘みが設けられ、
前記容器本体は、前記本体側壁の上端から外周方向へ延設した本体上面壁と、該本体上面壁の外周縁から下方へ降設した本体外側壁を介して該本体外側壁の下端から外周方向へ本体フランジが延設形成され、該本体フランジには本体開封用摘みが設けてある請求項３に記載の包装用容器。
【請求項５】
前記蓋には、前記天面壁の外周部の対向する位置に、前記天面壁よりも高い一対の丘状部を形成することによって、該丘状部間に蓋の一方の外周縁から他方の外周縁まで連続する平面部が形成されている請求項４に記載の包装用容器。
【手続補正２】
【補正対象書類名】明細書
【補正対象項目名】０００６
【補正方法】変更
【補正の内容】
【０００６】
上記課題を解決するために、本考案は以下のような合成樹脂製の容器本体と中皿、さらに蓋とから構成される包装用容器を開発した。
（１）合成樹脂製の容器本体と中皿から構成される包装用容器であって、
前記容器本体に形成される係止部と、前記中皿に形成される被係止部とを備え、前記係止部と前記被係止部の係合で、前記中皿の位置を固定する包装用容器。
（２）前記係止部は突起であり、前記被係止部は切欠きである（１）に記載の包装用容器。
（３）前記容器本体は、本体底壁と該本体底壁の周囲から立設した本体側壁とによって上方に円形の開口が形成され、前記本体側壁の上端寄りの位置に外周方向へ広がる本体段部が形成され、前記本体段部には上方へ膨出した前記係止部が形成され、
前記中皿は、中皿底壁と該中皿底壁の周囲から立設した中皿側壁とによって上方に開口が形成され、前記中皿の外周部には中皿フランジが形成され、該中皿フランジの外周縁には前記被係止部が形成された（１）または（２）に記載の包装用容器。
（４）さらに、蓋を有し、前記蓋は、天面壁と該天面壁の周囲から降設した蓋側壁と、該蓋側壁の下端から外周方向へ延設した下面壁と、該下面壁の外周縁から降設した蓋外側壁と、該蓋外側壁の下端から外周方向へ延設された蓋フランジが形成され、該蓋フランジには蓋開封用摘みが設けられ、
前記容器本体は、前記本体側壁の上端から外周方向へ延設した本体上面壁と、該本体上面壁の外周縁から下方へ降設した本体外側壁を介して該本体外側壁の下端から外周方向へ本体フランジが延設形成され、該本体フランジには本体開封用摘みが設けてある（３）に記載の包装用容器。
（５）前記蓋には、前記天面壁の外周部の対向する位置に、前記天面壁よりも高い一対の丘状部を形成することによって、該丘状部間に蓋の一方の外周縁から他方の外周縁まで連続する平面部が形成されている（４）に記載の包装用容器。